(57)【特許請求の範囲】
【請求項１】
熱交換室に排気用吸引手段と排液用吸引手段を接続し、熱交換室に加熱冷却流体を供給することのできる流体供給通路を連通したものにおいて、排気用吸引手段をエゼクタ―式真空ポンプで形成し、当該エゼクタ―式真空ポンプのエゼクタ―周辺部と排液用吸引手段を連通する連通管を設けたことを特徴とする減圧加熱冷却装置。
【発明の詳細な説明】
【０００１】
【発明の属する技術分野】
本発明は、大気圧以下の真空状態や、あるいは、大気圧より少しだけ高い程度の圧力状態において被熱処理物を加熱あるいは冷却する減圧加熱冷却装置に関する。具体的には、各種重合反応や縮合反応を行う反応釜の加熱冷却、あるいは食品や繊維やフィルムや医療品等の加熱冷却装置に関する。これらのものは少しの温度変化により変質したり、異常反応を起してしまう場合があり、加熱冷却時の温度精度の向上が、製品品質や生産性に大きな影響を及ぼすこととなる。
【０００２】
【従来の技術】
従来の減圧加熱冷却装置の一例として、例えば特開平５−１８７１号公報に示されたものがある。これは、反応釜のジャケット部の下方に排液用真空ポンプを接続し、上方に排気用真空ポンプを接続したものであり、熱処理の際に生じる液体と気体を、それぞれの真空ポンプで確実に吸引することにより、温度ムラを防止して被熱処理物の製品品質を一定に維持することができるものである。
【０００３】
【発明が解決しようとする課題】
上記従来のものでは、排気用真空ポンプにエゼクタ―式真空ポンプを用いて、大気圧以上の圧力状態の蒸気を吸引した場合に、エゼクタ―内に凝縮水が滞留して真空ポンプとしての機能を果さなくなってしまう問題があった。
【０００４】
蒸気圧力が大気圧以上の場合は、エゼクタ―式真空ポンプの吸引能力にかかわりなく蒸気がエゼクタ―内へ供給されるために、供給された蒸気が凝縮して凝縮水となり、滞留してしまうのである。
【０００５】
従って本発明の技術的課題は、排気用吸引手段にエゼクタ―式真空ポンプを用いた場合であっても、エゼクタ―内に凝縮水が滞留することのない減圧加熱冷却装置を得ることである。
【０００６】
【課題を解決するための手段】
上記の技術的課題を解決するために用いた本発明の技術的手段は、熱交換室に排気用吸引手段と排液用吸引手段を接続し、熱交換室に加熱冷却流体を供給することのできる流体供給通路を連通したものにおいて、排気用吸引手段をエゼクタ―式真空ポンプで形成し、当該エゼクタ―式真空ポンプのエゼクタ―周辺部と排液用吸引手段を連通する連通管を設けたものである。
【０００７】
【発明の実施の形態】
連通管によりエゼクタ―周辺部と排液用吸引手段を連通したことにより、大気圧以上の蒸気がエゼクタ―式真空ポンプへ供給されて、エゼクタ―内に凝縮水が滞留すると上記連通管から滞留している凝縮水を排液用吸引手段で吸引することによって、滞留を防止することができる。
【０００８】
【実施例】
図示の実施例を詳細に説明する。
本実施例においては、加熱冷却装置として反応釜１を用いた例を示す。
反応釜１と、流体供給通路２と、排気用エゼクタ―式真空ポンプ３と、排液用吸引手段としての排液用エゼクタ―式真空ポンプ４で減圧加熱冷却装置を構成する。反応釜１は、熱交換室としてのジャケット部５を有しており、このジャケット部５に流体供給口６と流体排出口７，８を設ける。
【０００９】
排気用エゼクタ―式真空ポンプ３は、排気用エゼクタ―１１とタンク１２と循環ポンプ１３を循環路１４で接続したもので、循環路１４の一端をノズル９に接続すると共に、吸込室１０を管路１５を介してジャケット部５の流体排出口８と接続したものである。循環ポンプ１３でタンク１２内の流体をノズル９に供給して、吸込室１０で吸引力を生じジャケット部５内の気体を吸引し、再度タンク１２内へ流下するものである。循環路１４の一部を分岐して管路２２によりジャケット部５と接続することにより、循環流体の一部をジャケット部５へ供給して反応釜１をこの循環流体によって冷却することもできるものである。また、タンク１２の上部にはタンク１２内へ冷却流体を補給する冷却流体補給管２３を接続する。
【００１０】
排気用エゼクタ―１１の周辺部に凝縮水取出口１６，１７，１８を取り付けて、管路１９により排液用エゼクタ―式真空ポンプ４と接続する。管路１には逆止弁２０と開閉弁２１を取り付ける。
【００１１】
排液用エゼクタ―式真空ポンプ４は、排気用と同じくノズル２４を有するエゼクタ―２５とタンク２６と循環ポンプ２７から成る。循環ポンプ２７の吸込側をタンク２６と接続し、吐出側をノズル２４と接続する。エゼクタ―２５と反応釜１の流体排出口７とをスチ―ムトラップ５０と開閉弁５１を介して接続する。この排液用エゼクタ―式真空ポンプ４も、循環ポンプ２７の作動によりタンク２６内の水をエゼクタ―２５に供給して吸引作用させ、タンク２６に戻すようになっている。循環路５２に開閉弁５３を介して流体排出通路５４を接続すると共に、開閉弁５５と流体供給通路２を介して循環水供給通路５６をジャケット部５の流体供給口６と接続する。また、タンク２６には冷却水補給管２８を接続する。
【００１２】
流体供給通路２は加熱蒸気供給管２９とバルブ３０を介して接続すると共に、ジャケット部５の流体供給口６と接続する。また、流体供給口６の上部には別途の冷却流体供給管３１を接続する。
【００１３】
反応釜１内の図示しない被熱処理物を加熱する場合は、まずバルブ３０を開弁しジャケット部５に加熱蒸気供給管２９から蒸気を供給すると共に、循環ポンプ２７を駆動してエゼクタ―２５にタンク２６内の水を循環させる。ジャケット部５内は排液用エゼクタ―式真空ポンプ４により減圧状態となり、バルブ３０から供給される低圧蒸気により反応釜１は加熱される。反応釜１を加熱して復水化した凝縮水は、流体排出口７からスチ―ムトラップ５０あるいは開閉弁５１を経てエゼクタ―２５に吸引されタンク２６に至る。
【００１４】
反応釜１を冷却する場合は、バルブ３０を閉弁して蒸気の供給を停止し、冷却流体供給管３１から冷却水をジャケット部５内に供給すると共に、排気用エゼクタ―式真空ポンプ３を駆動させて、エゼクタ―１１でジャケット部５内の気体を吸引しジャケット部５内を減圧状態とする。供給された冷却水は反応釜１の熱と減圧状態故にただちに気化して反応釜１を気化冷却する。気化した蒸気はエゼクタ―１１に吸引され、気化しきれなかった冷却水は排液用エゼクタ―式真空ポンプ４のエゼクタ―２５に吸引される。
【００１５】
反応釜１を冷却する場合において、被熱処理物の種類によって、１００度Ｃ程度の比較的高温状態から徐々に１００度Ｃ以下の低温まで冷却しなければならない場合、排気用エゼクタ―式真空ポンプ３を駆動しながら、蒸気供給管２９から大気圧以上の圧力の蒸気をジャケット部５へ供給する。この場合、供給される蒸気はエゼクタ―１１の吸引能力にかかわりなくエゼクタ―１１部に至り、遂にはエゼクタ―１１内に凝縮水として滞留するが、開閉弁２１を開弁することにより、この凝縮水は管路１９と逆止弁２０を経て排液用エゼクタ―式真空ポンプ４のエゼクタ―２５に吸引されて、滞留を防止することができる。従って、エゼクタ―１１内が凝縮水で水封され、真空ポンプとしての機能を果さなくなることを防ぐことができる。
【００１６】
【発明の効果】
エゼクタ―内に滞留する凝縮水を連通管を介して排液用吸引手段で吸引して排除することにより、エゼクタ―内での凝縮水の滞留を防止して、エゼクタ―式真空ポンプの機能を確実に果すことのできる、減圧加熱冷却装置を得ることができる。
【図面の簡単な説明】
【図１】本発明の減圧加熱冷却装置の実施例の構成図である。
【符号の説明】
１  反応釜
２  流体供給通路
３  排気用エゼクタ―式真空ポンプ
４  排液用エゼクタ―式真空ポンプ
５  ジャケット部
１１  排気用エゼクタ―
１２  タンク
１３  循環ポンプ
１９  管路
２０  逆止弁
２５  排液用エゼクタ―
２９  蒸気供給管
５０  スチ―ムトラップ
【図１】
0003593406.tif 000002